(57)【要約】【課題】第２電源スイッチが操作された場合でも、記録や監視を続行することができる画像記録監視装置およびその正面パネルを提供する。【解決手段】画像を記録部に記録しながら監視を行うための画像記録監視装置１４であって、装置内の電気部品に電源を供給するか否かを切り換える第１電源スイッチ３２と、電源スイッチを模して装置の正面側に備えられた第２電源スイッチ１０と、第２電源スイッチ１０と同じ面に備えられ、装置の稼働状態を表示する電源ＬＥＤ１２（稼働用表示体）と、第１電源スイッチ３２の操作に従って画像を記録しながら監視を行い、第２電源スイッチ１０をオフにする操作がされると電源ＬＥＤ１２を消灯する制御を行う操作制御手段とを有する。第２電源スイッチ１０をオフにする操作がされた場合でも、第１電源スイッチ３２がオンである限り記録や監視を続行することができる。【選択図】図１
2008048041.tif 000002
【特許請求の範囲】
【請求項１】
画像を記録部に記録しながら監視を行うための画像記録監視装置であって、
装置内の電気部品に電源を供給するか否かを切り換える第１電源スイッチと、
装置の正面側に備えられ、電源スイッチを模した第２電源スイッチと、
装置の正面側に備えられ、装置の稼働状態を表示する稼働用表示体と、
前記第１電源スイッチの操作に従って画像を記録しながら監視を行い、前記第２電源スイッチをオフにする操作がされると前記稼働用表示体を消灯する制御を行う操作制御手段とを有する画像記録監視装置。
【請求項２】
請求項１に記載した画像記録監視装置であって、
第１電源スイッチは、電源コンセントに差し込むか否かでオン／オフを切り換える電源プラグで構成した画像記録監視装置。
【請求項３】
請求項１または２に記載した画像記録監視装置であって、
画像を記録部に記録するか否かを切り換える第１操作スイッチと、
装置の正面側に備えられ、操作スイッチを模した第２操作スイッチと、
装置の正面側に備えられ、記録状態を表示する記録用表示体とを備え、
操作制御手段は、前記第１操作スイッチの操作に従って画像を記録部に記録し、前記第２操作スイッチについて記録を停止させる操作がされると前記記録用表示体を消灯する制御を行う画像記録監視装置。
【請求項４】
請求項１から３のいずれか一項に記載した画像記録監視装置であって、
操作制御手段は、第２電源スイッチをオフにする操作がされると、ファンやディスク装置等の駆動を一時的に停止して消音する制御を行う画像記録監視装置。
【請求項５】
画像記録監視装置における正面側の少なくとも一部に装着可能な正面パネルであって、
請求項１から４のいずれか一項に記載した操作制御手段とともに、第２電源スイッチおよび稼働用表示体と、第２操作スイッチおよび記録用表示体とのうちで一方または双方を少なくとも備えた正面パネル。
【発明の詳細な説明】
【技術分野】
【０００１】
本発明は、画像を記録部に記録しながら監視を行うための画像記録監視装置と、その正面パネルに関する。
【背景技術】
【０００２】
従来では、装置の電源をオン／オフする主電源スイッチと、装置のスタンバイ状態と動作状態とを切り替える補助電源スイッチとを備え、補助電源スイッチがオフにされても監視やカメラコントロールが続行できるように構成された画像記録監視装置が開示されている（例えば特許文献１を参照）。
【特許文献１】特開２００５−０９４１１８号公報
【発明の開示】
【発明が解決しようとする課題】
【０００３】
しかし、特許文献１の技術でも、画像を記録しながら監視を行っているときに何者か（例えば侵入者や不審者等）が主電源スイッチをオフすると、補助電源スイッチのオン／オフにかかわらず記録や監視を続行することができなくなるという問題点があった。
【０００４】
本発明はこのような点に鑑みてなしたものであり、第２電源スイッチ（上記の例では主電源スイッチを模したスイッチ）が操作された場合でも、記録や監視を続行することができる画像記録監視装置およびその正面パネルを提供することが目的である。
【課題を解決するための手段】
【０００５】
（１）課題を解決するための手段（以下では単に「解決手段」と呼ぶ。）１は、画像を記録部に記録しながら監視を行うための画像記録監視装置であって、装置内の電気部品に電源を供給するか否かを切り換える第１電源スイッチと、電源スイッチを模して装置の正面側に備えられた第２電源スイッチと、前記第２電源スイッチと同じ面に備えられ、装置の稼働状態を表示する稼働用表示体と、前記第１電源スイッチの操作に従って画像を記録しながら監視を行い、前記第２電源スイッチをオフにする操作がされると前記稼働用表示体を消灯する制御を行う操作制御手段とを有することを要旨とする。
なお「装置の正面」は、記録の開始や停止等の操作スイッチが配置された面である。
【０００６】
解決手段１によれば、第１電源スイッチとは別個に備えた第２電源スイッチはいわゆるダミースイッチであり、当該第２電源スイッチをオフにする操作がされた場合でも、第１電源スイッチがオンである限り記録や監視を続行することができる。また、第２電源スイッチをオフにする操作がされると操作制御手段が稼働用表示体を消灯する制御を行うので、第２電源スイッチを操作した何者かは電源が遮断されたと勘違いする。したがって、第１電源スイッチを探したり、他のスイッチを操作する等を防止できる。なお、第１電源スイッチは第２電源スイッチとは別個の位置（例えば裏面側や側面側など）に備えるか、あるいは電源プラグで構成するのが望ましい。
【０００７】
（２）解決手段２は、解決手段１に記載した画像記録監視装置であって、第１電源スイッチは、電源コンセントに差し込むか否かでオン／オフを切り換える電源プラグで構成したことを要旨とする。
【０００８】
解決手段２によれば、第１電源スイッチは電源プラグそのものであるので、装置の外観上の電源スイッチは第２電源スイッチしか無いように見える。何者かは電源を遮断するために第２電源スイッチを操作しようとするので、記録や監視をより確実に続行することができる。
【０００９】
（３）解決手段３は、解決手段１または２に記載した画像記録監視装置であって、画像を記録部に記録するか否かを切り換える第１操作スイッチと、操作スイッチを模して装置の正面側に備えられた第２操作スイッチと、前記第２操作スイッチと同じ面に備えられ、記録状態を表示する記録用表示体とを備え、操作制御手段は、前記第１操作スイッチの操作に従って画像を記録部に記録し、前記第２操作スイッチについて記録を停止させる操作がされると前記記録用表示体を消灯する制御を行うことを要旨とする。
【００１０】
解決手段３によれば、第１操作スイッチとは別個に備えた第２操作スイッチはいわゆるダミースイッチであり、当該第２操作スイッチで記録を停止させる操作がされた場合でも、第１操作スイッチがオンである限り記録を続行することができる。また、第２操作スイッチをオフにする操作がされると操作制御手段が記録用表示体を消灯する制御を行うので、第２操作スイッチを操作した何者かは記録を停止させたと勘違いし易い。したがって、第１操作スイッチを探す等を防止できる。なお、第１操作スイッチは第２操作スイッチとは別個の部位（例えば裏面側や側面側など）に備えるのが望ましい。
【００１１】
（４）解決手段４は、解決手段１から３のいずれか一項に記載した画像記録監視装置であって、操作制御手段は、第２電源スイッチをオフにする操作がされると、ファンやディスク装置等の駆動を一時的に停止して消音する制御を行うことを要旨とする。
【００１２】
解決手段４によれば、操作制御手段は稼働用表示体を消灯する制御だけでなく、音源の基になる駆動を一時的に停止して消音する制御も行うので、電源を遮断した状態をより一層醸し出すことができる。したがって、記録や監視をより確実に続行することができる。
【００１３】
（５）解決手段５は、画像記録監視装置における正面側の少なくとも一部に装着可能な正面パネルであって、解決手段１から４のいずれか一項に記載した操作制御手段とともに、第２電源スイッチおよび稼働用表示体と、第２操作スイッチおよび記録用表示体とのうちで一方または双方を少なくとも備えたことを要旨とする。
【００１４】
解決手段５によれば、正面パネルは画像記録監視装置における正面側の少なくとも一部に装着可能に構成されているので、特に既存の画像記録監視装置に用いる。したがって、既存の画像記録監視装置であっても解決手段１から４と同様の作用効果を得ることができる。また、正面側から装着するだけで済み、既存の画像記録監視装置を改造する必要が無いので、導入コストを低く抑えることができる。
なお、画像記録監視装置における正面側の少なくとも一部を装着する形態としては、例えば正面の一部に装着する形態や、正面の全部に装着する形態、正面ととも他の面の一部または全部にかけて装着する形態等が該当する。
【発明の効果】
【００１５】
本発明によれば、第２電源スイッチをオフにする操作がされた場合でも、第１電源スイッチがオンである限り記録や監視を続行することができる。
【発明を実施するための最良の形態】
【００１６】
本発明を実施するための最良の形態について、図面を参照しながら説明する。
【００１７】
〔実施の形態１〕
実施の形態１は第１電源スイッチと第２電源スイッチとを別個の面に備えた例であって、図１〜図３を参照しながら説明する。図１には画像記録監視装置の構成例を正面図と背面図で表す。図２には画像記録監視装置の構成例をブロック図で表す。図３には操作制御処理の手続き例をフローチャートで表す。
【００１８】
画像記録監視装置１４の正面部１４ａを図１（Ａ）に表し、同じく背面部１４ｂを図１（Ｂ）に表す。正面部１４ａには、図１（Ａ）に表すように、第２電源スイッチ１０、操作スイッチ群１６、電源ＬＥＤ１２、記録ＬＥＤ１８等を備える。第２電源スイッチ１０は、図１（Ｂ）に表す第１電源スイッチ３２を模して備えられたダミースイッチである。電源ＬＥＤ１２は稼働用表示体に相当し、第２電源スイッチ１０の操作に連動して点灯／消灯する。記録ＬＥＤ１８は記録用表示体に相当し、第１記録スイッチ３６や停止スイッチ２２の操作に連動して点灯／消灯する。
【００１９】
操作スイッチ群１６は、早戻しスイッチ２０、停止スイッチ２２、再生スイッチ２４、一時停止スイッチ２６、早送りスイッチ２８、記録スイッチ３０等からなる。早戻しスイッチ２０は記録装置４２（図２を参照）に記録された画像を再生する際に早送りを指示する。停止スイッチ２２は再生の停止を指示する。一時停止スイッチ２６はトグルスイッチのように機能し、画像の再生と一時停止を交互に指示する。早送りスイッチ２８は再生の早送りを指示する。記録スイッチ３０は再生の停止を指示する。
【００２０】
また背面部１４ｂには、図１（Ｂ）に表すように、第１電源スイッチ３２や電源コード３８等を備える。第１電源スイッチ３２は画像記録監視装置１４内の電気部品に電力を供給するか否かを切り換える。電源コード３８は電源コンセントに差し込む電源プラグ３８ａを有する。
【００２１】
また画像記録監視装置１４は、画像の記録と監視を実現するために、例えば図２に表すように構成されている。上述した要素を除けば、電源部４０、記録装置４２、ファン４４、制御部４６等を備える。電源部４０は、電源コンセントに電源プラグ３８ａを差し込むと供給される電力を変換（例えば交流から直流への変換や電圧の降圧など）して電気部品に供給する。記録部に相当する記録装置４２は、画像を記録可能であれば任意の装置を適用でき、例えばハードディスク装置や光磁気記憶装置等が該当する。ファン４４は電気部品から発生する熱を装置外に排出する。
【００２２】
制御部４６は、カメラ選択手段５０、画像入力手段５２、記録制御手段５４、表示制御手段５６、操作制御手段５８等を有する。これらの各手段は、ＣＰＵによるソフトウェアの実行またはハードウェアロジックによって実現可能に構成されている。
【００２３】
カメラ選択手段５０は、画像記録監視装置１４に接続される複数台のカメラ４８のうちで、撮像された画像を記録しようとするカメラを少なくとも１台選択（選択には切り換えを含む。以下同じ。）する。画像入力手段５２は、カメラ選択手段５０によって選択されたカメラから伝達される画像を入力する。記録制御手段５４は、画像入力手段５２によって入力処理された画像を記録装置４２に記録するとともに、操作制御手段５８に信号を伝達して記録中か否かを記録ＬＥＤ１８に表示させる制御を行う。表示制御手段５６は、画像入力手段５２によって入力処理された画像を監視のために監視モニタ６０に表示する制御を行う。操作制御手段５８は、第２電源スイッチ１０、再生スイッチ２４、第１停止スイッチ３４、第１記録スイッチ３６等の操作に従って、電源ＬＥＤ１２、記録ＬＥＤ１８、記録装置４２、ファン４４の駆動を制御する。この操作制御手段５８によって実現される制御について、図３を参照しながら説明する。
【００２４】
図３に表す操作制御処理は、画像記録監視装置１４の第１電源スイッチ３２（図１（Ｂ）を参照）がオンに操作されると実行される。当該操作制御処理と並行して実行されるプログラムによって、カメラ４８の選択や、記録装置４２への画像の記録が行われる。
【００２５】
まず、画像記録監視装置１４が稼働していることを表示するため、電源ＬＥＤ１２を含めた全てのＬＥＤを点灯する〔ステップＳ１０〕。その後、第２電源スイッチ１０をオフにする操作がされると（ステップＳ１２でＹＥＳ）、電源ＬＥＤ１２を含めた全てのＬＥＤを消灯するとともに〔ステップＳ１４〕、記録装置４２やファン４４等の駆動を一時的に停止して消音する〔ステップＳ１６〕。消音する時間の長さは任意に設定ができるが、例えば３０秒間や２分間等が該当する。記録装置４２の駆動を停止したときは記録ができないため、カメラ４８から入力された画像のデータは一時的にメモリに記憶しておき、当該データは駆動を再開した後に記録装置４２に記録すればよい。
その一方、第２電源スイッチ１０をオフにする操作がされない限りはループを繰り返し実行する（ステップＳ１２でＮＯ）。
【００２６】
上述した実施の形態１によれば、以下に表す各効果を得ることができる。
（ａ１）第１電源スイッチ３２とは別個に第２電源スイッチ１０を備えたので（図１を参照）、当該第２電源スイッチ１０をオフにする操作がされた場合でも、第１電源スイッチ３２がオンである限り記録や監視を続行することができる（図３を参照）。また、第２電源スイッチ１０をオフにする操作がされると操作制御手段５８が電源ＬＥＤ１２を消灯する制御を行うので（図３のステップＳ１２、Ｓ１４を参照）、第２電源スイッチ１０を操作した何者かは画像記録監視装置１４の電源が遮断されたと勘違いする。したがって、第１電源スイッチ３２を探したり、他のスイッチを操作する等を防止できる。
【００２７】
（ａ２）上述した形態では、画像記録監視装置１４の背面部１４ｂに第１電源スイッチ３２を備えたが（図１（Ｂ）を参照）、第１電源スイッチ３２を無くす形態としてもよい。この形態では、第１電源スイッチ３２に相当する部材は電源プラグ３８ａになり、画像記録監視装置１４の外観上の電源スイッチは第２電源スイッチ１０しか無いように見える。何者かによって第２電源スイッチ１０をオフにする操作がされた場合でも、電源プラグ３８ａが電源コンセントに差し込まれている限りは記録や監視を続行することができる（図３を参照）。
【００２８】
（ａ３）第２電源スイッチ１０をオフにする操作がされたとき、操作制御手段５８は電源ＬＥＤ１２を消灯する制御だけでなく、音源の基になる記録装置４２やファン４４等の駆動を一時的に停止して消音する制御も行った（図３のステップＳ１２−Ｓ１６を参照）。消灯だけでなく消音も行われるので、電源を遮断した状態をより一層醸し出すことができる。したがって、記録や監視をより確実に続行することができる。
【００２９】
〔実施の形態２〕
実施の形態２は電源スイッチ以外のスイッチについても別個の面にそれぞれ備えた例であって、実施の形態１と同様に図１〜図３を参照しながら説明する。なお画像記録監視装置１４の構成等は実施の形態１と同様であり、図示および説明を簡単にするために実施の形態２では実施の形態１と異なる点について説明する。よって実施の形態１で用いた要素と同一の要素には同一の符号を付して説明を省略する。
【００３０】
実施の形態２が実施の形態１と異なるのは、次の点である。第１に、正面部１４ａに備える停止スイッチ２２とは別個に、図１（Ｂ）に二点鎖線で表すように第１停止スイッチ３４を背面部１４ｂに備える。ただし、再生の停止を指示できるのは第１停止スイッチ３４であり、停止スイッチ２２（第２停止スイッチ）は第１停止スイッチ３４を模したダミースイッチとする。第１停止スイッチ３４は第１操作スイッチに相当し、停止スイッチ２２（第２停止スイッチ）は第２操作スイッチに相当する。
【００３１】
第２に、正面部１４ａに備える記録スイッチ３０とは別個に、図１（Ｂ）に二点鎖線で表すように第１記録スイッチ３６を背面部１４ｂに備える。ただし、再生の開始を指示できるのは第１記録スイッチ３６であり、記録スイッチ３０（第２記録スイッチ）は第１記録スイッチ３６を模したダミースイッチとする。第１記録スイッチ３６は第１操作スイッチに相当し、記録スイッチ３０（第２記録スイッチ）は第２操作スイッチに相当する。
【００３２】
第３に、操作制御手段５８によって実現される図３の操作制御処理では、二点鎖線で表すステップＳ１８−Ｓ２４を実行する。すなわちステップＳ１０で電源ＬＥＤ１２を点灯した後、記録スイッチ３０（第２記録スイッチ）が操作されると（ステップＳ１８でＹＥＳ）、記録ＬＥＤ１８を点灯する〔ステップＳ２０〕。その一方、停止スイッチ２２（第２停止スイッチ）が操作されると（ステップＳ２２でＹＥＳ）、記録ＬＥＤ１８を消灯する〔ステップＳ２４〕。なお、実際に記録装置４２への記録の開始を指示するのは第１停止スイッチ３４であり、記録の停止を指示するのは第１記録スイッチ３６である。これらのスイッチが操作されない限りは、記録スイッチ３０や停止スイッチ２２が操作されても記録状態の有無は変化しない。
【００３３】
上述した実施の形態２によれば、以下に表す各効果を得ることができる。
（ｂ１）停止スイッチ２２とは別個に第１停止スイッチ３４を備えたので（図１を参照）、当該停止スイッチ２２が操作された場合でも、第１停止スイッチ３４が操作されない限り画像の記録を続行することができる（図３を参照）。また、停止スイッチ２２が操作されると操作制御手段５８は記録ＬＥＤ１８を消灯する制御を行うので（図３のステップＳ２２、Ｓ２４を参照）、停止スイッチ２２を操作した何者かは画像記録監視装置１４の画像記録を停止させたと勘違いする。したがって、第１停止スイッチ３４を探したり、他のスイッチを操作する等を防止できる。
【００３４】
（ｂ２）記録スイッチ３０とは別個に第１記録スイッチ３６を備えたので（図１を参照）、当該記録スイッチ３０が操作された場合でも、第１記録スイッチ３６が操作されない限り画像の記録を開始することができない（図３を参照）。また、記録スイッチ３０が操作されると操作制御手段５８は記録ＬＥＤ１８を点灯する制御を行うので（図３のステップＳ２２、Ｓ２４を参照）、例えば悪戯目的などで記録スイッチ３０を操作した何者かは画像記録監視装置１４の画像記録を開始させたと勘違いする。したがって、第１記録スイッチ３６を探したり、他のスイッチを操作する等を防止できる。
【００３５】
（ｂ３）その他の要件、構成、作用等については実施の形態１と同様であるので、当該実施の形態１と同様の効果が得られる｛上述した事項（ａ１）〜（ａ３）を参照｝。
【００３６】
〔実施の形態３〕
実施の形態３は、既存の画像記録監視装置に装着可能な正面パネルに適用した例であって、図４、図５を参照しながら説明する。なお、図示および説明を簡単にするために実施の形態３では実施の形態１と異なる点について説明する。よって実施の形態１、２で用いた要素と同一の要素には同一の符号を付して説明を省略する。
【００３７】
実施の形態１は新たな画像記録監視装置１４で本発明を実現したが、実施の形態３は既存の画像記録監視装置で本発明を実現するための正面パネルを対象とする。この正面パネルは例えば図４に表すように構成する。
【００３８】
図４（Ａ）に表す正面パネル６２には、第２電源スイッチ１０、操作スイッチ群１６、電源ＬＥＤ１２、記録ＬＥＤ１８、操作制御手段５８等を備える。既存の画像記録監視装置６４の正面部６４ａは、操作スイッチ群６６、記録ＬＥＤ６８、第１電源スイッチ３２、電源ＬＥＤ７０を備える。操作スイッチ群６６は、停止スイッチ２２の代わりに第１停止スイッチ３４になり、記録スイッチ３０の代わりに第１記録スイッチ３６になる点を除いて操作スイッチ群１６と同一の構成である。正面パネル６２は矢印Ｄのように正面側から画像記録監視装置６４に装着する。装着後の状態について一例を表した図４（Ｂ）によれば、正面パネル６２は画像記録監視装置６４の構成要素（部品や装飾）のように見える。なお、装着後は取り外し可能に正面パネル６２を構成（例えばネジ止めや凹凸部に引っ掛ける等）すれば、いつでも画像記録監視装置６４に対して容易に着脱が行える。
【００３９】
図５に表すブロック図は、図２に代わるものである。画像記録監視装置６４内の記録制御手段５４から記録中か否かの信号を操作制御手段５８に伝達するには、正面パネル６２に備えた操作制御手段５８と画像記録監視装置６４内の制御部４６とを電気的に接続するのが望ましい。操作制御手段５８は、実施の形態１、２で説明した操作制御処理を実行することにより（図３を参照）、電源ＬＥＤ１２や記録ＬＥＤ１８等の点灯／消灯や、記録装置４２やファン４４等の駆動などを制御する。
【００４０】
上述した実施の形態３によれば、以下に表す各効果を得ることができる。
（ｃ１）正面パネル６２は画像記録監視装置６４における正面部６４ａのほぼ全部に装着可能に構成したので、既存の画像記録監視装置であっても実施の形態１、２と同様の作用効果を得ることができる。また、正面側から装着するだけで済み、既存の画像記録監視装置６４を改造する必要が無いので、導入コストを低く抑えることができる。
（ｃ２）その他の要件、構成、作用等については実施の形態１と同様であるので、当該実施の形態１と同様の効果が得られる｛上述した事項（ａ１）〜（ａ３）を参照｝。
【００４１】
〔他の実施の形態〕
以上では本発明を実施するための最良の形態について実施の形態１−３に従って説明したが、本発明は当該形態に何ら限定されるものではない。言い換えれば、本発明の要旨を逸脱しない範囲内において、種々なる形態で実施することが可能である。例えば、次に表す各形態を実現してもよい。
【００４２】
（ｄ１）実施の形態１−３では、表示体としてＬＥＤ（電源ＬＥＤ１２や記録ＬＥＤ１８等）を適用し、操作部材としてスイッチ（第２電源スイッチ１０や記録スイッチ３０等）を適用した（図１等を参照）。この形態に代えて、表示体には点灯／消灯が表示可能な電気素子、例えばランプ、液晶表示器、セグメント素子、ＣＲＴ、プラズマ表示器等を適用してもよい。操作部材には、ボタンやタッチセンサ等を適用してもよい。さらに、表示体と操作部材とを一体にした部品（例えばＬＥＤ付きスイッチ）を用いれば、正面部１４ａなどに配置する部品数を少なくし、別体で構成するよりもコストを安く抑えられる。
【００４３】
（ｄ２）実施の形態２では、停止スイッチ２２および第１停止スイッチ３４の組と、記録スイッチ３０および第１記録スイッチ３６の組の双方を備える構成とした。この構成に代えて、いずれか一方の組を備える構成としてもよい。この場合は、備えたほうの組にかかる実施の形態２と同様の作用効果を得ることができる。
【００４４】
（ｄ３）実施の形態３では、正面パネル６２は画像記録監視装置６４における正面部６４ａのほぼ全部を覆って装着する構成とした（図４を参照）。この構成に代えて、正面部６４ａの一部（例えば左半分や右半分等）を覆って装着する構成としてもよく、正面ととも他の面（例えば上面、下面、側面等のうちで少なくとも一の面）の一部または全部にかけて装着する構成としてもよい。
また、正面パネル６２に備える操作スイッチ群１６のうちで、停止スイッチ２２および記録スイッチ３０の一方または双方は実施の形態１と同じ機能、すなわち停止スイッチ２２を第１停止スイッチ３４と同じ機能としたり、記録スイッチ３０を第１記録スイッチ３６と同じ機能としてもよい。
【図面の簡単な説明】
【００４５】
【図１】画像記録監視装置の構成例を表す正面図と背面図である。
【図２】画像記録監視装置の構成例を表すブロック図である。
【図３】操作制御処理の手続き例を表すフローチャートである。
【図４】画像記録監視装置に装着する正面パネルを説明する。
【図５】画像記録監視装置と正面パネルの構成例を表すブロック図である。
【符号の説明】
【００４６】
１０  第２電源スイッチ
１２  電源ＬＥＤ（稼働用表示体）
１４、６４  画像記録監視装置
１４ａ、６４ａ  正面部
１４ｂ、６４ｂ  背面部
１６  操作スイッチ群
１８  記録ＬＥＤ（記録用表示体）
２０  早戻しスイッチ
２２  停止スイッチ（第２停止スイッチ）
２４  再生スイッチ
２６  一時停止スイッチ
２８  早送りスイッチ
３０  記録スイッチ（第２記録スイッチ）
３２  第１電源スイッチ
３４  第１停止スイッチ
３６  第１記録スイッチ
３８  電源コード
３８ａ  電源プラグ（第１電源スイッチ）
４０  電源部
４２  記録装置
４４  ファン
４６  制御部
４８  カメラ
５０  カメラ選択手段
５２  画像入力手段
５４  記録制御手段
５６  表示制御手段
５８  操作制御手段
６０  監視モニタ
６２  正面パネル
【図１】
2008048041.tif 000003
【図２】
2008048041.tif 000004
【図３】
2008048041.tif 000005
【図４】
2008048041.tif 000006
【図５】
2008048041.tif 000007